(57)【要約】【課題】端末装置あるいは被呼者毎に留守録メッセージを、安全に記憶し再生することを可能とするインターネット電話システムを提供する。【解決手段】インターネット網に接続された親機１０１、１０２は、被呼者あるいは、被呼者の子機１０２ａ、１０２ｂ、２０２ａ、２０２ｂを着呼先として指示する呼制御データに基づき、当該着呼先子機に対して電話を転送する。被呼者が電話に応対できない場合、留守録モードに切り替え、被呼者に宛てたメッセージをパスワードとともに記憶する。そして、留守録があることを当該被呼者の子機にのみ通知する。かかる通知を受け、被呼者が自己の子機または親機にパスワードを入力すると、留守録メッセージが再生される。【選択図】  図１
2004228732.tif 000002
【特許請求の範囲】
【請求項１】
他の親機電話端末装置から受信した呼制御用情報に含まれた着呼先識別情報に基づいて、着呼を当該着呼先子機電話端末装置に自動転送する親機電話端末装置であって、
自己の子機電話端末装置と通信を行うための通信手段と、
前記着呼先子機電話端末装置と通信可能であるかを判定する通信判定手段と、
通話情報を記憶する記憶手段と、
前記着呼先電話端末装置が通信不可能であるとき、前記受信した呼制御用情報に含まれた着呼先識別情報に基づいて、着呼先と前記通話情報を対応づけて、前記記憶手段に記憶する記憶制御手段と、
前記通話情報が記憶された旨を前記着呼先子機電話端末装置に通知する通知手段と、
を備えることを特徴とする親機電話端末装置。
【請求項２】
請求項１において、
前記記憶制御手段は、再生許諾用パスワードと前記通話情報を対応づけて、前記記憶手段に記憶し、
前記記憶された通話情報を再生するとき、パスワードとして入力されたデータが、前記記憶手段に記憶された当該通話情報に対応した再生許諾用パスワードと一致するかを判定するパスワード判定手段と、
前記入力されたデータが前記再生許諾用パスワードと一致するとき、前記パスワードに対応する通話情報を再生する通話情報再生手段と、
をさらに備えることを特徴とする親機電話端末装置。
【請求項３】
請求項１において、
前記記憶制御手段は、前記記憶した通話情報に対応して再生許諾用パスワードを生成することを特徴とする親機電話端末装置。
【請求項４】
請求項１において、
前記記憶された通話情報が再生されたかを判定する既読判定手段と、
通話情報が記憶された旨を通知する宛先を示す宛先情報を、前記着呼先識別情報と対応づけて記憶する宛先情報記憶手段と、
前記記憶された通話情報が未だ再生されていないとき、当該通話情報の着呼先に対応した宛先情報を前記宛先情報記憶手段から抽出し、当該宛先に対し、通話情報が記憶された旨を通知する第２の通知手段と、
を備えることを特徴とする親機電話端末装置。
【請求項５】
請求項４において、
ユーザからのデータ入力を可能とするデータ入力手段と、
前記通話情報が記憶された旨を通知するとき、前記通知手段、あるいは、第２の通知手段のいずれかをユーザのデータ入力によって選択的に切り換える通知手段切り換え手段と、
を備え、
前記通知手段、あるいは、第２の通知手段は、前記通知手段切り換え手段の選択に基づいて、前記通話情報が記憶された旨を通知する
ことを特徴とする親機電話端末装置。
【請求項６】
他の親機電話端末装置から受信した呼制御用情報に含まれた着呼先識別情報に基づいて、着呼を当該着呼先子機電話端末装置に自動転送する親機電話端末装置と、前記転送された着呼を受ける子機電話端末装置を備えた電話端末システムであって、
前記親機電話端末装置は、
前記自己の子機電話端末装置と通信を行うための通信手段と、
前記着呼先子機電話端末装置と通信可能であるかを判定する通信判定手段と、
通話情報を記憶する記憶手段と、
前記着呼先電話端末装置が応答不可であるとき、前記受信した呼制御用情報に含まれた着呼先識別情報に基づいて、着呼先と前記通話情報を対応づけて、前記記憶手段に記憶し、さらに、再生許諾用パスワードを前記通話情報に対応づけて、前記記憶手段に記憶する記憶制御手段と、
前記通話情報が記憶された旨を前記着呼先子機電話端末装置に通知する通知手段と、
前記記憶された通話情報を再生するとき、パスワードとして入力されたデータが、前記記憶手段に記憶された当該通話情報に対応した再生許諾用パスワードと一致するかを判定するパスワード判定手段と、
前記入力されたデータが前記再生許諾用パスワードと一致するとき、前記パスワードに対応する通話情報を再生する通話情報再生手段と、
を備え、
前記子機電話端末装置は、
前記自己の親機電話端末装置と通信を行うための通信手段と、
前記親機電話端末装置の通知手段からの通知に応じて、前記通話情報が記憶された旨を報知する報知手段と、
前記記憶された通話情報を再生するとき、パスワードとしてデータを前記親機電話端末装置に送信するパスワードデータ送信手段と、
を備えることを特徴とする電話端末システム。
【請求項７】
請求項６において、
前記親機電話端末装置は、
前記記憶された通話情報が再生されたかを判定する既読判定手段と、
通話情報が記憶された旨を通知する宛先を示す宛先情報を、前記着呼先識別情報と対応づけて記憶する宛先情報記憶手段と、
前記記憶された通話情報が未だ再生されていないとき、当該通話情報の着呼先に対応した宛先情報を前記宛先情報記憶手段から抽出し、当該宛先に対し、通話情報が記憶された旨を通知する第２の通知手段と、
を備えることを特徴とする電話端末システム。
【請求項８】
請求項７において、
前記親機電話端末装置は、
ユーザからのデータ入力を可能とするデータ入力手段と、
前記通話情報が記憶された旨を通知するとき、前記通知手段、あるいは、第２の通知手段のいずれかをユーザのデータ入力によって選択的に切り換える通知手段切り換え手段と、
を備え、
前記通知手段、あるいは、第２の通知手段は、前記通知手段切り換え手段の選択に基づいて、前記通話情報が記憶された旨を通知する
ことを特徴とする電話端末システム。
【請求項９】
他の親機電話端末装置から受信した呼制御用情報に含まれた着呼先識別情報に基づいて、通話情報を当該着呼先子機電話端末装置に自動転送する親機電話端末装置であって、
自己の子機電話端末装置と通信を行うための通信手段と、
前記着呼先電話端末装置が通話可能であるかを判定する通話判定手段と、
前記通話情報を記憶する記憶手段と、
前記着呼先電話端末装置が通話不可能であるとき、前記受信した呼制御用情報に含まれた着呼先識別情報に基づいて、着呼先と前記通話情報を対応づけて、前記記憶手段に記憶する通話情報を記憶する通話情報記憶手段と、
通話情報が記憶された旨を通知する宛先を示す宛先情報を、前記着呼先識別情報と対応づけて記憶する宛先情報記憶手段と、
当該通話情報の着呼先に対応した宛先情報を前記宛先情報記憶手段から抽出し、当該宛先に対し、通話情報が記憶された旨を通知する通知手段と、を備えることを特徴とする親機電話端末装置。
【請求項１０】
請求項９において、
前記記憶制御手段は、前記記憶した通話情報に対応して再生許諾用パスワードを生成し、当該パスワードと前記通話情報を対応づけて、前記記憶手段に記憶し、
前記通知手段は、前記パスワードと共に、前記通話情報が記憶された旨を通知すること、
を特徴とする親機電話端末装置。
【発明の詳細な説明】
【０００１】
【発明の属する技術分野】
本発明は、親機電話端末装置および電話端末システムに関し、特に、留守録の秘匿性を高める際に用いて好適なものである。
【０００２】
【従来の技術】
従来、家庭における電話機の留守録機能では、被呼者が誰であろうと、全てのメッセージが親機のメモリに記録されるのが一般的であった。
【０００３】
また、特許文献１では、発呼者が秘密用件録音用パスワードを送ることによって用件を第三者に聞かれないで録音でき、被呼者が秘密用件再生用パスワードを入力することにより、秘密用件が再生できる留守番電話装置が開示されている。
【０００４】
【特許文献１】
特開平６−４６１２８号公報
【０００５】
【発明が解決しようとする課題】
しかしながら、従来の家庭における電話機の留守録機能においては、被呼者が誰であろうと、全てのメッセージが親機のメモリに記録されるため、それらを再生するとき、被呼者を特定することなく再生してしまい、発呼者からの機密を要する用件メッセージであっても、第三者への漏洩を防ぐことはできない。
【０００６】
また、上記特許文献１に記載の方法を採用した場合でも、パスワードさえ入手できれば、誰でも秘密要件を再生することができ、第三者への漏洩防止を図る手法としては、未だ改良の余地のあるものであった。
【０００７】
そこで、本発明は、発呼者からの用件メッセージを、被呼者のみが聞くことができる秘密保護機能を有する電話システムを提供するものである。
【０００８】
【課題を解決するための手段】
このような問題を解決するために、着呼先子機電話端末装置に対して電話を転送する親機電話端末装置は、被呼者が電話に応対できない場合、留守録モードに切り替え、被呼者に宛てたメッセージを再生用パスワードとともに記憶する。そして、留守録があることを当該被呼者の子機にのみ通知する。かかる通知を受けて、被呼者が自己の子機または親機にパスワードを入力すると、留守録メッセージが再生されるものである。
【０００９】
各請求項に係る発明の特徴は以下の通りである。
【００１０】
請求項１の発明は、他の親機電話端末装置から受信した呼制御用情報に含まれた着呼先識別情報に基づいて、着呼を当該着呼先子機電話端末装置に自動転送する親機電話端末装置であって、自己の子機電話端末装置と通信を行うための通信手段と、前記着呼先子機電話端末装置と通信可能であるかを判定する通信判定手段と、通話情報を記憶する記憶手段と、前記着呼先電話端末装置が通信不可能であるとき、前記受信した呼制御用情報に含まれた着呼先識別情報に基づいて、着呼先と前記通話情報を対応づけて、前記記憶手段に記憶する記憶制御手段と、前記通話情報が記憶された旨を前記着呼先子機電話端末装置に通知する通知手段とを備えることを特徴とする。
【００１１】
請求項２の発明は、請求項１に記載の親機電話端末装置において、前記記憶制御手段は、再生許諾用パスワードと前記通話情報を対応づけて、前記記憶手段に記憶し、前記記憶された通話情報を再生するとき、パスワードとして入力されたデータが、前記記憶手段に記憶された当該通話情報に対応した再生許諾用パスワードと一致するかを判定するパスワード判定手段と、前記入力されたデータが前記再生許諾用パスワードと一致するとき、前記パスワードに対応する通話情報を再生する通話情報再生手段とをさらに備えることを特徴とする。
【００１２】
請求項３の発明は、請求項１に記載の親機電話端末装置において、前記記憶制御手段は、前記記憶した通話情報に対応して再生許諾用パスワードを生成することを特徴とする。
【００１３】
請求項４の発明は、請求項１に記載の親機電話端末装置において、前記記憶された通話情報が再生されたかを判定する既読判定手段と、通話情報が記憶された旨を通知する宛先を示す宛先情報を、前記着呼先識別情報と対応づけて記憶する宛先情報記憶手段と、前記記憶された通話情報が未だ再生されていないとき、当該通話情報の着呼先に対応した宛先情報を前記宛先情報記憶手段から抽出し、当該宛先に対し、通話情報が記憶された旨を通知する第２の通知手段とを備えることを特徴とする。
【００１４】
請求項５の発明は、請求項４に記載の親機電話端末装置において、ユーザからのデータ入力を可能とするデータ入力手段と、前記通話情報が記憶された旨を通知するとき、前記通知手段、あるいは、第２の通知手段のいずれかをユーザのデータ入力によって選択的に切り換える通知手段切り換え手段とを備え、前記通知手段、あるいは、第２の通知手段は、前記通知手段切り換え手段の選択に基づいて、前記通話情報が記憶された旨を通知することを特徴とする。
【００１５】
請求項６の発明は、他の親機電話端末装置から受信した呼制御用情報に含まれた着呼先識別情報に基づいて、着呼を当該着呼先子機電話端末装置に自動転送する親機電話端末装置と、前記転送された着呼を受ける子機電話端末装置を備えた電話端末システムであって、前記親機電話端末装置は、
前記自己の子機電話端末装置と通信を行うための通信手段と、前記着呼先子機電話端末装置と通信可能であるかを判定する通信判定手段と、通話情報を記憶する記憶手段と、前記着呼先電話端末装置が応答不可であるとき、前記受信した呼制御用情報に含まれた着呼先識別情報に基づいて、着呼先と前記通話情報を対応づけて、前記記憶手段に記憶し、さらに、再生許諾用パスワードを前記通話情報に対応づけて、前記記憶手段に記憶する記憶制御手段と、前記通話情報が記憶された旨を前記着呼先子機電話端末装置に通知する通知手段と、前記記憶された通話情報を再生するとき、パスワードとして入力されたデータが、前記記憶手段に記憶された当該通話情報に対応した再生許諾用パスワードと一致するかを判定するパスワード判定手段と、前記入力されたデータが前記再生許諾用パスワードと一致するとき、前記パスワードに対応する通話情報を再生する通話情報再生手段とを備え、前記子機電話端末装置は、前記自己の親機電話端末装置と通信を行うための通信手段と、前記親機電話端末装置の通知手段からの通知に応じて、前記通話情報が記憶された旨を報知する報知手段と、前記記憶された通話情報を再生するとき、パスワードとしてデータを前記親機電話端末装置に送信するパスワードデータ送信手段とを備えることを特徴とする。
【００１６】
請求項７の発明は、請求項６に記載の電話端末システムにおいて、前記親機電話端末装置は、前記記憶された通話情報が再生されたかを判定する既読判定手段と、通話情報が記憶された旨を通知する宛先を示す宛先情報を、前記着呼先識別情報と対応づけて記憶する宛先情報記憶手段と、前記記憶された通話情報が未だ再生されていないとき、当該通話情報の着呼先に対応した宛先情報を前記宛先情報記憶手段から抽出し、当該宛先に対し、通話情報が記憶された旨を通知する第２の通知手段とを備えることを特徴とする。
【００１７】
請求項８の発明は、請求項７に記載の電話端末システムにおいて、前記親機電話端末装置は、ユーザからのデータ入力を可能とするデータ入力手段と、前記通話情報が記憶された旨を通知するとき、前記通知手段、あるいは、第２の通知手段のいずれかをユーザのデータ入力によって選択的に切り換える通知手段切り換え手段とを備え、前記通知手段、あるいは、第２の通知手段は、前記通知手段切り換え手段の選択に基づいて、前記通話情報が記憶された旨を通知することを特徴とする。
【００１８】
請求項９の発明は、他の親機電話端末装置から受信した呼制御用情報に含まれた着呼先識別情報に基づいて、通話情報を当該着呼先子機電話端末装置に自動転送する親機電話端末装置であって、自己の子機電話端末装置と通信を行うための通信手段と、前記着呼先電話端末装置が通話可能であるかを判定する通話判定手段と、前記通話情報を記憶する記憶手段と、前記着呼先電話端末装置が通話不可能であるとき、前記受信した呼制御用情報に含まれた着呼先識別情報に基づいて、着呼先と前記通話情報を対応づけて、前記記憶手段に記憶する通話情報を記憶する通話情報記憶手段と、通話情報が記憶された旨を通知する宛先を示す宛先情報を、前記着呼先識別情報と対応づけて記憶する宛先情報記憶手段と、当該通話情報の着呼先に対応した宛先情報を前記宛先情報記憶手段から抽出し、当該宛先に対し、通話情報が記憶された旨を通知する通知手段とを備えることを特徴とする。
【００１９】
請求項１０の発明は、請求項９に記載の親機電話端末装置において、前記記憶制御手段は、前記記憶した通話情報に対応して再生許諾用パスワードを生成し、当該パスワードと前記通話情報を対応づけて、前記記憶手段に記憶し、前記通知手段は、前記パスワードと共に、前記通話情報が記憶された旨を通知することを特徴とする。
【００２０】
本発明の特徴は、以下に示す実施の形態の説明により更に明らかとなろう。
【００２１】
なお、請求項における親機電話端末装置の「通信手段」は実施の形態における無線処理部３０２が対応する。請求項における子機電話端末装置の「通信手段」は実施の形態における無線処理部４０２が対応する。請求項における親機電話端末装置の「記憶手段」は実施の形態におけるメモリ３０７が対応する。請求項における親機電話端末装置の「通信判定手段」，「記憶制御手段」，「通知手段」，「パスワード判定手段」は実施の形態におけるメイン処理部３０６が対応する。請求項における親機電話端末装置の「通話情報再生手段」は実施の形態における信号処理部３０３，コーデック処理部３０４，信号処理部３０５，メイン処理部３０６，音声出力部３１１が対応する。
【００２２】
また、請求項における「パスワード」は、図９に示すフォーマットの内、子機ＩＤ、ＵｓｅｒＩＤ、乱数の何れか、又は、これらの組合せが対応する。
【００２３】
但し、以下の実施の形態は、あくまでも、本発明の一つの実施形態である。本発明ないし各構成要件の用語の定義は、以下の実施の形態に記載されたものに制限されるものではない。
【００２４】
【発明の実施の形態】
以下、本発明の実施形態について図面を参照して説明する。
【００２５】
図１は、本発明の実施形態を示すインターネット電話（以下、ＩＰ電話と呼ぶ）システムの構成を示すブロック図である。尚、同図には便宜上、親機１０１とその子機１０２ａ、１０２ｂと、通信相手先の親機２０１とその子機２０２ａ、２０２ｂを図示してある。
【００２６】
図２は、ＩＰ電話システムにおける子機と親機の構成を示すブロック図である。図２を参照しながら、本ＩＰ電話システムの親機３００（図１における１０１、２０１）と子機４００（図１における１０２ａ、１０２ｂ、２０２ａ、２０２ｂ）のそれぞれの構成について説明する。
【００２７】
まず、親機３００の構成について説明する。
【００２８】
親機３００は、アンテナ３０１、無線処理部３０２、信号処理部３０３、コーデック処理部３０４、信号処理部３０５、メイン処理部３０６、メモリ３０７、通信制御部３０８、データ入力部３０９、音声入力部３１０、音声出力部３１１から構成されている。
【００２９】
アンテナ３０１は、電波を介して子機４００と信号を送受信する。無線処理部３０２は、Ｄ／Ａ変換処理・Ａ／Ｄ変換処理や、利用する通信方式に応じた変・復調処理を行う。信号処理部３０３、３０５は、誤り訂正処理などの信号処理を行う。コーデック処理部３０４は、音声データに対してＡ／Ｄ、Ｄ／Ａ変換および符号・復号化処理を施す。
【００３０】
メイン処理部３０６は、各処理部の制御を行うと共に、自己および通信相手を特定するための情報である電話番号やＩＰアドレス、自己および無線通信相手（自己の子機）を識別するための無線用ＩＤ、ＩＰ電話サービスを提供するプロバイダーの情報（例えば、図１に示すサーバ１０ａや１０ｂのアドレス）等を記憶する、メモリ３０７を内部に持つ。
【００３１】
自己および通信相手を特定するための情報は、通信相手を特定するための形式であれば、上記電話番号やＩＰアドレス以外に、メールアドレス形式などでも良い。
【００３２】
前記自己識別用および無線通信先の無線用ＩＤは、通信可能相手を識別するためのＩＤであり、親機、子機で共有して設定されるものである。
【００３３】
通信制御部３０８は、インターネット網（公衆網）との接続に関する通信制御を行う。データ入力部３０９は、子機への転送を指示する入力、各種コマンドの入力等を行うためのものである。音声入力部３１０は、話者（ユーザ）の音声を入力して処理した後、音声データを出力する。音声出力部３１１は、音声データを処理して話者に音声を出力する。
【００３４】
次に、子機４００の構成について説明する。
【００３５】
子機４００は、アンテナ４０１、無線処理部４０２、信号処理部４０３、メイン処理部４０４、メモリ４０５、データ入力部４０６、音声入力部４０７、音声出力部４０８から構成されている。
【００３６】
アンテナ４０１は、電波を介して親機３００と信号を送受信する。無線処理部４０２は、Ｄ／Ａ、Ａ／Ｄ変換処理や、利用する通信方式に応じた変・復調処理等を行う。信号処理部４０３は、誤り訂正処理などの信号処理を行う。
【００３７】
メイン処理部４０４は、音声信号のＡ／Ｄ変換、Ｄ／Ａ変換、および各処理部の制御を行う。また、内部にメモリ４０５を備える。
【００３８】
このメモリ４０５には、自己および通信相手を特定するための情報である電話番号やＩＰアドレス、自己および無線通信相手（自己の子機）を識別するための無線用ＩＤ、その他各種情報の他、ＩＰ電話サービスを提供するプロバイダーの情報（例えば、図１に示すサーバ１０ａ、１０ｂのアドレスなど）が格納されている。
【００３９】
データ入力部４０６は、ペン入力部やキー操作部を備え、通話相手端末のアドレス（電話番号、メールアドレス形式、各種ＩＤなど、通信相手が特定できるものであれば何でも良い）の入力や、各種コマンド等を入力する際に使用される。音声入力部４０７は、話者（ユーザ）の音声を入力して処理した後、音声データを出力する。音声出力部４０８は、音声データを処理して話者に音声を出力する。
【００４０】
図３に、子機４００のメモリ４０５に記憶される電話帳情報の構成を示す。なお、図３は、図１に示すＡさん所有の子機１０２ａに記憶された電話帳情報である。
【００４１】
電話帳情報は、その子機のユーザ名（氏名）、その子機の親機の電話番号（電話番号）、その子機のＩＤ（子機ＩＤ）、その子機を使用するユーザのユーザＩＤ（ＵｓｅｒＩＤ）から構成されており、これらが、ユーザ毎に区分して、メモリ４０５に記憶されている。
【００４２】
図３に示す電話帳情報のうち、ＡさんとＤさんは同じ子機を利用している。ＡさんとＢさんとＤさんの電話番号は、自己の親機の電話番号であるため、Ｎｕｌｌとなっている。また、ＡさんとＢさんとＤさんの子機ＩＤとＵｓｅｒＩＤは、後述の如く、一定期間毎に親機によって生成され更新記憶される。このうち、ＵｓｅｒＩＤについては、ユーザが任意のタイミングで任意のＩＤを設定できるようにしても良い。
【００４３】
Ｐさんの子機ＩＤとＵｓｅｒＩＤは、過去にＰさんと通信した際に呼制御データに含まれたＰさんの子機ＩＤとＵｓｅｒＩＤを取り込んだものである。後述の如く、ユーザは、呼制御データに自己の子機の子機ＩＤとＵｓｅｒＩＤを含めるかを任意に決定することができる。そして、呼制御データに発呼元子機の子機ＩＤとＵｓｅｒＩＤが含められている場合に、着呼先親機はこれを取り出して、着呼先子機にこれを送信する。これを受けて当該着呼先子機は、自己の電話帳にこれを登録する。
【００４４】
図４に、親機３００のメモリ３０７に記憶される電話帳情報の構成を示す。なお、図４は、図１に示す親機１０１に記憶された電話帳情報を示すものである。
【００４５】
電話帳情報は、その親機に接続される子機のユーザ名（氏名）、その子機の親機の電話番号（電話番号）、その子機のＩＤ（子機ＩＤ）、その子機を使用するユーザのユーザＩＤ（ＵｓｅｒＩＤ）、子機ＩＤとＵｓｅｒＩＤの有効期間から構成されており、これらが、ユーザ毎に区分して、メモリ３０７に記憶されている。
【００４６】
図４に示す電話帳情報のうち、子機１０２ａと子機１０２ｂの電話番号は、これら子機１０２ａと子機１０２ｂが自己の子機であるため、Ｎｕｌｌとなっている。また、子機１０２ａと子機１０２ｂの子機ＩＤとＵｓｅｒＩＤは、後述の如く、一定期間毎に当該親機１０１によって生成され更新記憶される。このうち、ＵｓｅｒＩＤについては、ユーザが任意のタイミングで任意のＩＤを設定できるようにしても良い。
【００４７】
Ｐさんの子機ＩＤとＵｓｅｒＩＤは、上記の如く、過去にＰさんと通信した際に呼制御データに含まれたＰさんの子機ＩＤとＵｓｅｒＩＤを取り込んだものである。
【００４８】
また、子機１０２ａと子機１０２ｂの子機ＩＤとＵｓｅｒＩＤの有効期間は、これらが更新される毎に当該親機１０１が設定したものである。この有効期間は、ユーザにより設定できるようにしても良い。なお、Ｐさんの子機ＩＤとＵｓｅｒＩＤの有効期間は、Ｐさん側によって管理されるものであるので、Ｎｕｌｌとなっている。
【００４９】
上記図３および図４に示すＵｓｅｒＩＤは、上記の如くして、親機と子機に同じ値が登録される。このＵｓｅｒＩＤは、利用者を識別する値であり、後述する呼び出し音（音声、メロディー）の選択や、留守録メッセージ再生を許可する人の識別に利用される。
【００５０】
また、上記の如く、子機ＩＤやＵｓｅｒＩＤに有効期間を指定する情報を付加することによって、簡易的なセキュリティ機能を実現することができる。
【００５１】
例えば、指定された有効期間が経過した後、対応する子機ＩＤを変更あるいは消去することにより、このＩＤを利用した自動転送（後述する）などの機能を不可にすることができる。また、同様に指定された有効期間が経過した後、留守録メッセージ再生用のパスワードを変更することにより、セキュリティ効果を高めたり、有効期間を過ぎても再生されないメッセージを自動的に消去することもできる（後述する）。
【００５２】
次に、Ａさん所有の子機１０２ａからＣさん所有の子機２０２ａへ通話を行う際の動作を、図７のフローチャートに従って説明する。
【００５３】
Ａさんが、子機１０２ａの電話帳中からＣさんを選択して発呼ボタンを操作すると（Ｓ１０１）、メイン処理部４０４は、Ｃさんの電話番号と子機ＩＤおよびＵｓｅｒＩＤをメモリ４０５から読み出し、さらに、自己の親機１０１を特定するための無線用ＩＤをメモリ４０５から読み出す。ただしこの際、Ｃさんの子機ＩＤおよびＵｓｅｒＩＤは、図３に示す如く、電話帳に登録されていないので、メモリ４０５からはＣさんの電話番号のみが読み出される。
【００５４】
しかる後、メイン処理部４０４は、読み出した電話番号と無線用ＩＤを組み合わせて通信用相手方電話番号データへと変換する。具体的には、無線用ＩＤを通信パケットのヘッダ情報とし、相手方電話番号をデータ部として、通信用相手方電話番号データとする。
【００５５】
そうして得た通信用相手方電話番号データは、信号処理部４０３へ出力される。
【００５６】
信号処理部４０３は、自身の親機１０１との間の無線通信で利用される通信方式（例えば、Ｂｌｕｅｔｏｏｔｈ、ＩＥＥＥ８０２．１１ａ、ＩＥＥＥ８０２．１１ｂ、ＩＥＥＥ８０２．１１ｅ、ＩＥＥＥ８０２．１１ｇなど無線通信の規格であれば何でも良い）に応じて、ヘッダ情報や誤り訂正符号を付加するなどして、適切な通信用相手方電話番号データへ変換し、無線処理部４０２へ出力する。
【００５７】
無線処理部４０２は、利用する通信方式に応じた変調処理等を行った後、アンテナ４０１を通して、電波として通信用相手方電話番号データを送出する（Ｓ１０２）。
【００５８】
この通信用相手方電話番号データは、自身の親機１０１のアンテナ３０１を通して、無線処理部３０２に受信される（Ｓ２０１）。親機１０１の無線処理部３０２は、受信した通信用相手方電話番号データを、利用する通信方式に応じて復調処理を行い、信号処理部３０３へ出力する。
【００５９】
信号処理部３０３は、誤り訂正符号を利用して、通信用相手方電話番号データから誤りの無い相手方電話番号と無線用ＩＤを抽出して、メイン処理部３０６へ出力する。
【００６０】
メイン処理部３０６は、入力された無線用ＩＤとメモリ３０７に記憶されている自己の無線用ＩＤとを比較し（Ｓ２０２）、両者が一致する場合には、続く呼制御の処理を実行する。他方、両者が一致しない場合には、接続が拒否され、そのまま本処理を終了、あるいは、その旨を通知する応答データを信号処理部３０３に出力し、無線処理部３０２を介して、発信元である子機１０２ａに返信し、本処理を終了する（Ｓ１０３）。
【００６１】
呼制御の処理において、メイン処理部３０６は、子機１０２ａから供給された相手方電話番号とメモリ３０７に記憶されている自己の電話番号とサーバのアドレス、自己のＩＰアドレスなどを、呼制御用データに組み込む。
【００６２】
このとき、発呼者の意向により、発信端末である子機１０２ａのＩＤと発呼者ＡさんのＵｓｅｒＩＤを相手方に知らせることもできる。
【００６３】
例えば、親機１０１は、子機１０２ａに対し、自身の子機ＩＤと発呼者のＵｓｅｒＩＤを相手方に知らせるか否かの問い合わせを発する（Ｓ２０３）。これを受けて、ユーザが子機１０２ａに了承の入力を行うと、これが親機１０１に転送される（Ｓ１０４）。しかして、発信端末である子機ＩＤと発呼者のＵｓｅｒＩＤが呼制御用データに組まれる（Ｓ２０５）。このように生成された呼制御用データは、通信制御部３０８に出力される（Ｓ２０６）。
【００６４】
通信制御部３０８では、呼制御用データにＴＣＰあるいはＵＤＰ／ＩＰヘッダ等を付加し、例えば、ＲＪ４５モジュラーインタフェースなどのインターネット網とのインタフェースを介して通信相手と呼制御を行う。
【００６５】
次に、受信側の動作について説明する。
【００６６】
呼制御用データを受信した相手方親機２０１は、受信した呼制御データに発呼元であるＡさんの子機ＩＤとユーザＩＤが含まれている場合、これらを呼制御データから取り出し、自己のメモリ３０７に、発信元親機１０１の電話番号（＋８１−３−３１２３−４５６７）とその子機１０２ａの子機ＩＤ（ＵｓｅｒＡ−ＴＥＬ−１）とＡさんのＵｓｅｒＩＤ（ＭＲ−Ａ）を記憶する（Ｓ３０１）。
【００６７】
呼制御により通信経路が確立すると、相手方親機２０１が呼び出される。ここで、着呼先子機であるＣさんの子機の子機ＩＤが呼制御データに含まれているか否かが判定される（Ｓ３０２）。
【００６８】
この呼制御においては、上記のとおり、Ｃさんの子機の子機ＩＤが呼制御データに含まれていないため、Ｃさんの子機２０２ａには自動転送されず、親機２０１に応答した人が手動で、データ入力部から子機２０２ａへ転送するための操作を行うことになる（Ｓ３０３）。
【００６９】
以上の処理により、子機１０２ａと子機２０２ａとの通信が開始される。
【００７０】
親機２０１から子機２０２ａへ転送がなされた場合、通話に先立って相手方親機２０１からその子機２０２ａに対して、親機２０１のメモリ３０７に記憶された発信元親機１０１の電話番号とその子機１０２ａの子機ＩＤとＡさんのＵｓｅｒＩＤが送信される。このとき、自身の電話帳にも発信元親機１０１の電話番号とその子機１０２ａのＩＤからなるデータが作成される。（Ｓ３０５）
すなわち、相手方親機２０１のメイン処理部３０６は、データ入力部３０９からの転送の操作により、メモリ３０７に記憶された発信元親機１０１の電話番号とその子機１０２ａの子機ＩＤとＡさんのＵｓｅｒＩＤを抽出し、信号処理部３０３へ出力する。
【００７１】
信号処理部３０３は、メイン処理部３０６を介してメモリ３０７から読み出した親機自身の無線用ＩＤ、発信元親機１０１の電話番号、子機１０２ａの子機ＩＤ、ＡさんのＵｓｅｒＩＤに対し、これら親機２０１と子機２０２ａとの間の無線通信で利用される通信方式に応じて、ヘッダ情報や誤り訂正符号を付加するなどして、適切な通信用電話番号データへ変換し、これを無線処理部３０２へ出力する。
【００７２】
無線処理部３０２では、これを利用する通信方式に応じた変調処理等を行った後、通信用電話番号データを、アンテナ３０１を通して電波として子機２０２ａに送出する。かかるデータは、子機２０２ａのアンテナ４０１を通して無線処理部４０２によって受信される。無線処理部４０２は、受信した通信用電話番号データに対し、利用する通信方式に応じた復調処理を行い、信号処理部４０３へ出力する。
【００７３】
信号処理部４０３は、通信用電話番号データから無線用ＩＤを抽出し、これをメイン処理部４０４に出力する。メイン処理部４０４は入力された無線用ＩＤとメモリ４０５に記憶された無線用ＩＤを比較し、両者が一致する場合に、信号処理部４０３に通信用電話番号データの処理を指示する。
【００７４】
指示を受けた信号処理部４０３は、受信した通信用電話番号データに誤り訂正を施し、通信用電話番号データから誤りの無い親機１０１の電話番号と子機１０２ａの子機ＩＤとＡさんのＵｓｅｒＩＤのみを抽出してメイン処理部４０４へ出力する。
【００７５】
メイン処理部４０４は、発信元親機１０１の電話番号と子機１０２ａの子機ＩＤとＡさんのＵｓｅｒＩＤを、子機１０２ａの情報として電話帳に登録する（Ｓ４０１）。
【００７６】
図５（ａ）は、相手方子機２０２ａの登録前の電話帳の状態を示している。また、図５（ｂ）は、相手方子機２０２ａの登録後の電話帳の状態を示している。
【００７７】
同様の電話帳は、親機２０１のメモリ３０７にも作成され、保存されている。図６（ａ）は、相手方親機２０１の登録前の電話帳の状態を示している。図６（ｂ）は、相手方親機２０１の登録後の電話帳の状態を示している。
【００７８】
引き続いて、Ａさんが子機１０２ａの音声入力部４０７に対して発話を行う。このときの処理は、呼制御における信号処理部３０３までの処理と同様である。但し、このとき扱うデータは異なる（Ｓ４０２）。
【００７９】
すなわち、発話した音声は、メイン処理部４０４でＡ／Ｄ変換などがなされた後、信号処理部４０３により、親機１０１との間の無線通信で利用される通信方式に応じて、ヘッダ情報や誤り訂正符号を付加するなどして適切な通信用音声データへ変換され、無線処理部４０２へ出力される。無線処理部４０２では、利用する通信方式に応じた変調処理等を行った後、アンテナ４０１を通して、電波として通信用音声データを送出する。
【００８０】
この通信用音声データは、親機１０１のアンテナ３０１を通して無線処理部３０２により受信され、信号処理部３０３で処理された後、コーデック処理部３０４に出力される。
【００８１】
コーデック処理部３０４において、所定の音声コーデック方式（例えば、ＰＤＣ，ＰＨＳ，ＣｄｍａＯｎｅ、Ｗ−ＣＤＭＡ，Ｃｄｍａ４０７０などの通信方式で利用されるコーデック、あるいはＧ．７１１，Ｇ．７２９，Ｇ．７２９Ａ、Ｇ７２３．１，Ｇ．７２６，Ｇ．７２２．１、ＡＭＲ−ＷＢなど）により圧縮される。もちろん非圧縮のままでも良い。
【００８２】
コーデック処理部３０４により処理された音声データは、信号処理部３０５により、ヘッダ情報や誤り訂正符号を付加するなどして適切な音声データへ変換され、メイン処理部３０６へ出力される。
【００８３】
その後、メイン処理部３０６に入力され、音声データをインターネット上で送受信するためのデータ構造（例えば、ＲＴＰヘッダ、ＵＤＰあるいはＴＣＰヘッダ、ＩＰヘッダなどが付与される）に変換される。変換されたデータは、通信制御部３０８を通してインターネット網へ出力され、通話相手である親機２０１へ送信される。
【００８４】
上記のとおり、通信経路が確立された後の音声データの送信は、親機１０１を経由して行われるが、通話相手からの音声データの受信もまた親機１０１を経由して行われる。
【００８５】
すなわち、親機１０１のメイン処理部３０６は、通信制御部３０８を通して受信した音声データから、ＲＴＰヘッダ、ＵＤＰあるいはＴＣＰヘッダ、ＩＰヘッダ等を取り除き、信号処理部３０５へ出力する。
【００８６】
信号処理部３０５は、子機１０２ａとの間の無線通信で利用される通信方式に応じて、ヘッダ情報や誤り訂正符号から、誤りのない音声部分のみを抽出し、コーデック処理部３０４へ出力する。コーデック処理部３０４は、所定の音声コーデックに応じた伸張方式により伸張処理した後、これを信号処理部３０３へ出力する。
【００８７】
信号処理部３０３は、音声データと、メイン処理部３０６を介してメモリ３０７から読み出した無線通信相手を特定するための無線用ＩＤに対し、子機１０２ａとの間の無線通信で利用される通信方式に応じて、ヘッダ情報や誤り訂正符号を付加するなどして適切な通信用音声データへ変換し、これを無線処理部３０２へ出力する。
【００８８】
無線処理部３０２は、利用する通信方式に応じた変調処理等を行った後、アンテナ３０１を通して、電波として通信用音声データを子機１０２ａに送出する。かかるデータは、子機１０２ａのアンテナ４０１を通して無線処理部４０２によって受信される。無線処理部４０２は、受信した通信用音声データに対し、利用する通信方式に応じた復調処理を行い、信号処理部４０３へ出力する。
【００８９】
信号処理部４０３は、通信用音声データから無線用ＩＤを抽出し、これをメイン処理部４０４に出力する。メイン処理部４０４は、入力された無線用ＩＤと、メモリ４０５に記憶された無線用ＩＤとを比較し、両者が一致する場合、信号処理部４０３に通信用音声データの処理を指示する。指示を受けた信号処理部４０３は、受信した通信用音声データに誤り訂正を施し、通信用音声データから誤りの無い音声部分のみを抽出して、音声データとしてメイン処理部４０４へ出力する。その後、メイン処理部４０４でＤ／Ａ変換された音声は、音声出力部４０８から出力される。
【００９０】
一方、入力された無線用ＩＤとメモリ４０５に記憶された無線用ＩＤとが一致しない場合、本処理は終了する。
【００９１】
通話終了後、Ｃさんは子機２０２ａのデータ入力部４０６から、ＩＤ送付指示を入力すると、それを受けた親機２０１は子機ＩＤ（ＵｓｅｒＣ−ＴＥＬ−１）とＵｓｅｒＩＤ（ＭＲ−Ｃ）を親機１０１へ送信する。親機１０１は、同ＩＤを子機１０２ａへ転送する。この結果、親機１０１と子機１０２ａはＣさんの同ＩＤをアドレス帳へ登録する。
【００９２】
次に、登録した子機ＩＤを利用して、Ｃさん所有の子機２０２ａからＡさん所有の子機１０２ａへ電話をかける処理について説明する。
【００９３】
まず、上記と同様、音声通話を行う前に子機２０２ａから相手方親機１０１に対し呼制御が実行される。ここで、通話相手の指定は、図５（ｂ）に示す電話番号帳から“Ａさん”を選択することによって行われる。これにより、Ａさんの子機の子機ＩＤとＵｓｅｒＩＤが呼制御データに含まれる。そして、この呼制御データが、Ａさんの親機１０１に送信される。
【００９４】
この呼制御用データを受信した親機１０１は（図７のＳ３０１）、メモリ３０７に保存されている電話番号帳（図４に示す）内の子機のＩＤを参照し（Ｓ３０２）、呼制御用データ中の相手の子機ＩＤである“ＵｓｅｒＡ−ＴＥＬ−１“と同一である子機１０２ａへ転送を行う（Ｓ３０４）。これにより、子機２０２ａと子機１０２ａの呼制御が完了し、通話が可能となる。
【００９５】
次に、呼制御用データから被呼者のＵｓｅｒＩＤの“ＭＲ−Ａ“を取得し、ＵｓｅｒＩＤ“ＭＲ−Ａ“専用の呼び出し音、あるいは、“ＭＲ−Ａ“さんへの電話であることを告げる合成音声等を再生する。これらの呼び出し音に対して、誰かが応答すれば、Ｃさんとの通話が開始される。
【００９６】
また、誰も応答しない場合には、親機１０１は留守録処理の実行を開始する。
【００９７】
以下に、留守録処理について説明する。
【００９８】
＜留守録処理＞
例えば、Ｃさん所有の子機２０２ａから、Ａさん所有の子機１０２ａへ電話をかけた際に、子機１０２ａに応答する人がいない等の理由により、通話が成り立たない場合、子機１０２ａは、通話が不可能である旨の応答を、無線制御部４０２を介して親機１０１に送信する。親機１０１のメイン処理部３０６は、無線処理部３０２を介して、子機１０２ａとの通話が不可能であることを認識する。
【００９９】
あるいは、親機１０１のメイン処理部３０６は、子機１０２ａからの応答の有無によって、子機１０２ａとの間の通信が可能か否かを判別する。
【０１００】
具体的には、親機１０１の無線処理部３０２から電波を送信した後、一定期間内に、子機１０２ａからの応答がなかった場合、子機１０２ａとの間の通信が不可能であると判別する。
【０１０１】
上記のように、親機１０１のメイン処理部３０６により、子機１０２ａとの通話が不可能、あるいは、子機１０２ａとの通信が不可能であると判別した場合、留守録処理を開始する。
【０１０２】
親機１０１は、メモリ３０７内に記憶している応答メッセージを、通信制御部３０８を通して発呼者に対して送信する。この際の音声の授受は、前述した音声通話の方法と同じであるので説明を省略する。
【０１０３】
応答メッセージの終了と共に、親機１０１のメイン処理部３０６はメッセージの録音を開始し、発呼者であるＣさんはメッセージを音声入力部４０７に対して発話する。
【０１０４】
メッセージを受信した親機１０１では、メイン処理部３０６が、メモリ３０７に留守録情報を圧縮された音声のまま記憶する。図８に留守録時のメモリ使用例を示す。
【０１０５】
留守録時、メモリ３０７のヘッダ領域に、被呼者ＩＤ、録音日時から構成されるなどパスワードを記憶し、ボディ領域にメッセージ本体を記憶する。
【０１０６】
図９にヘッダ領域に記憶されるパスワードのフォーマットを示す。
【０１０７】
図９では、メッセージが“Ａさん”（子機ＩＤ：“ＵｓｅｒＡ−ＴＥＬ−１”，ＵｓｅｒＩＤ：“ＭＲ−Ａ”）に宛てた、２００２年１１月１日午後１２時３４分に録音されたものであり、有効期間を２００２年１１月７日とすることを示しており、これらのデータと任意長の乱数とを組み合わせてパスワードとしている。
【０１０８】
自己の子機ＩＤやＵｓｅｒＩＤは固定でも良く、乱数を組み合わせることにより、秘匿性が高められ、セキュリティ効果が強化される。
【０１０９】
また、更なるセキュリティ効果を向上させるために、このパスワードを暗号化するなどしてもよい。
【０１１０】
また、再生済みフラグは、留守録メッセージが再生されたか否かを示すものであり、“Ｙｅｓ”は再生済みであることを示し、“Ｎｏ”は当該留守録メッセージが未だ再生されていないことを示す。
【０１１１】
録音が終了すると、親機１０１は、子機１０２ａに対して、“ＣさんからＡさん宛てに留守録あり”との旨を通知する。具体的には、留守録終了後に、メイン処理部３０６が、子機１０２ａへ通話転送時と同様に“ＣさんからＡさん宛てに留守録あり”との旨を通知する。
【０１１２】
この通知は、親機１０１から子機１０２ａに対するコマンドとして送信される。
【０１１３】
このコマンドを子機１０２ａが認識すると、Ａさん用の子機１０２ａの留守録があることを示すＬＥＤ（図示しない）が点滅する。個人専用のＬＥＤがない場合には、単に留守録用のＬＥＤが点滅する。
【０１１４】
このようにして、被呼者であるＡさんに留守録があることを知らせる。
【０１１５】
録音されたメッセージは、以下の方法によって読み出すことができる。
【０１１６】
（第１の再生方法）
子機１０２ａのＬＥＤの点滅により留守録があることを知るＡさんが、子機１０２ａを操作して録音されたメッセージを読み出す場合、データ入力部４０６より自身のＵｓｅｒＩＤ“ＭＲ−Ａ”を入力し、メッセージ再生用のボタン（図示しない）を押す。
【０１１７】
すると、子機１０２ａのメイン処理部４０４は、メモリ４０５を参照し、自己の子機ＩＤを取得する。
【０１１８】
取得した子機ＩＤ“ＵｓｅｒＡ−ＴＥＬ−１”とＵｓｅｒＩＤ“ＭＲ−Ａ”とメッセージ再生指示は、信号処理部４０３、無線処理部４０２、アンテナ４０１を通して、親機１０１へ渡される。さらに、これら子機ＩＤ“ＵｓｅｒＡ−ＴＥＬ−１”とＵｓｅｒＩＤ“ＭＲ−Ａ”とメッセージ再生指示は、アンテナ３０１、無線処理部３０２、信号処理部３０３を通してメイン処理部３０６へ渡される。
【０１１９】
親機１０１のメイン処理部３０６は、子機１０２ａから受け取った子機ＩＤ“ＵｓｅｒＡ−ＴＥＬ−１”とＵｓｅｒＩＤ“ＭＲ−Ａ”と、メモリ３０７のヘッダ領域のパスワードに含まれる子機ＩＤおよびＵｓｅｒＩＤとを比較し、同一のＩＤを検出したとき、そのボディ領域からメッセージを読み出す。
【０１２０】
読み出したメッセージは、信号処理部３０５、コーデック処理部３０４、信号処理部３０３、無線処理部３０２、アンテナ３０１を通して、子機１０２ａへ渡される。さらに、子機１０２ａにおいて、アンテナ４０１、無線処理部４０２、信号処理部４０３、メイン処理部４０４での処理を経て、音声出力部４０８から出力される。
【０１２１】
（第２の再生方法）
留守録が終了すると、親機１０１は予め登録してあるＡさんの携帯電話（例えば、電話番号：０５０−１２３４−５６７８）宛てに、通信制御部３０８を通して発呼し、呼制御用データを利用して留守録再生用パスワードを通知する。
【０１２２】
すなわち、呼制御用データに、親機１０１で生成したパスワードを書き込み、Ａさんの携帯電話へ送信する。この場合、呼制御用データ中の処理タイプは、パスワードを含んでいることを示す、例えば“ＳＥＮＤ−ＰＡＳＳ”とする。送信されるデータは、インターネット上で送受信するためのデータ構造（例えば、ＴＣＰヘッダ、ＩＰヘッダなどが付与される）に変換され、変換されたデータは、通信制御部３０８を通してインターネット網へ出力され、通話相手であるＡさんの携帯電話（図示しない）へ送信される。
【０１２３】
Ａさんの携帯電話にこの呼制御用データが届くと、Ａさんに対する留守録があった旨の通知と、これに対するＡさんからの留守録再生指示を促す表示がなされる。
【０１２４】
この通知を受けて、Ａさんは、留守録再生の指示を入力すると、先に留守録があった旨の通知を受信の際の呼制御データに含まれるパスワードが抽出され、このパスワードを含む応答が携帯電話から親機１０１に対して行われる。この応答を受け、親機１０１のメイン処理部３０６は、この応答に含まれているパスワードと、メモリ３０７のヘッダ領域に含まれるパスワードとを比較し、同一のパスワードであることを検出すると、前述したように呼を確立させ、通話状態とする。
【０１２５】
通話状態になった後、メイン処理部３０６は、メモリ３０７のパスワードに対応するボディ領域からメッセージを読み出し、読み出した留守録メッセージを、信号処理部３０５、コーデック処理部３０４、信号処理部３０３、通信制御部３０８を通して、音声としてＡさんの携帯電話へ送信する。このようにして、Ａさんは宅外からも留守録メッセージを聞くことができる。
【０１２６】
また、Ａさんが上述の留守録通知に即応答できない場合には、パスワードを含んだ応答を一時保留しておき、後にあらためて応答することによって留守録メッセージを聴くこともできる。
【０１２７】
具体的には、Ａさんの携帯電話からパスワードを含む呼制御データを保存しておき、これを用いて親機１０１へ電話を掛けなおす。呼が確立した以降の処理は、上記と同様である。
【０１２８】
上記では、親機１０１が予め登録してあるＡさんの携帯電話に留守録があった旨を通知するようにしたが、この宛先については、以下のようにして管理される。
【０１２９】
上記では、留守録が終了したときに、親機１０１は予め登録してあるＡさんの携帯電話宛てに発呼し、留守録再生用パスワードを含めて、留守録メッセージがあることを通知するようにしたが、留守録メッセージの再生が一定期間以上されていない場合に、前記携帯電話宛てに留守録メッセージがあることを再度通知するようにしてもよい。
【０１３０】
この場合、親機１０１は、メモリ３０７に記憶した当該留守録メッセージのヘッダ領域に含まれるパスワード中の再生済みフラグを参照し、“Ｎｏ”であるとき、前記ヘッダ領域に記憶されているＵｓｅｒＩＤにもとづく宛先に通知を行う。
【０１３１】
上記では、留守録メッセージがあることの通知を、予め登録してある宛先に行うようにしたが、具体的には、前述のメモリ３０７に記憶された電話帳に、ＵｓｅｒＩＤと対応付けて当該通知転送宛先を記憶する（図１０）。
【０１３２】
当該通知転送宛先は、データ入力部からのユーザによる入力、あるいは、当該通知転送アドレスを含んだ前述の呼制御情報から抽出することによって得られる。
【０１３３】
留守録メッセージがあることを通知するとき、親機１０１は、メモリ３０７に記憶した当該留守録メッセージのヘッダ領域に含まれるパスワード中のＵｓｅｒＩＤを参照し、さらに、メモリ３０７に記憶された電話帳からＵｓｅｒＩＤに対応する通知転送宛先を取得し、当該通知転送宛先に対し留守録メッセージがあることの通知を行う。
【０１３４】
また、このような留守録メッセージがあることの通知を、当該留守録メッセージの対象であるユーザの子機に行うか、あるいは、通知転送宛先に転送するか、については、ユーザがデータ入力部より選択して指定するようにしてもよい。
【０１３５】
（第３の再生方法）
上記に示す再生方法の他に、以下の方法も可能である。
【０１３６】
留守録が終了すると、親機１０１は予め登録してあるＡさんの携帯電話宛てに、従来の電子メールにパスワードを添えて送信することにより、通知する。
【０１３７】
具体的には、親機１０１のメイン処理部３０６は、メモリ３０７に記憶しているＡさんの電子メールアドレスを読み出し送り先アドレスとし、パスワードを本文として電子メールを生成する。
【０１３８】
次に、送信する電子メール自身のデータを、インターネット上で送受信するためのデータ構造（例えば、ＴＣＰヘッダ、ＩＰヘッダなどが付与される）に変換し、変換したデータは、通信制御部３０８を通してインターネット網へ出力され、通話相手であるＡさんの携帯電話（図示しない）へ送信される。
【０１３９】
Ａさんは携帯電話でパスワードを含む電子メールを受信すると、当該メールを親機１０１へ返信する。
【０１４０】
親機１０１の通信制御部３０８が返信メールを受信すると、メイン処理部３０６は、メール本文に書かれているパスワードと、メモリ３０７のヘッダ領域に含まれるパスワードとを比較し、パスワードが同一であることを検出すると、Ａさんの携帯電話（例えば、電話番号０５０−１２３４−５６７８）宛てに通信制御部３０８を通して電話を掛け、呼を確立させ、通話状態とする。
【０１４１】
通話状態になった後、メイン処理部３０６はメモリ３０７のパスワードに対応するボディ領域からメッセージを読み出し、読み出した留守録メッセージは、信号処理部３０５、コーデック処理部３０４、信号処理部３０３、通信制御部３０８を通して、音声としてＡさんの携帯電話へ送信する。
【０１４２】
このようにして、Ａさんは宅外から留守録メッセージを聞くことができる。
【０１４３】
また、上記では、親機１０１が予め登録してあるＡさんの携帯電話に留守録があった旨をメールにて通知するようにしたが、宛先であるメールアドレスについては、第２の再生方法における宛先の管理と同様に行うことができる。
【０１４４】
上述のように、宅外から留守録メッセージを聞く場合、パスワードを入力することによって、さらにセキュリティを高めることができる。
【０１４５】
また、有効期間を過ぎても再生されないメッセージは、被呼者宛に上記メールを再送し、未読のままのメッセージがあることを通知することもできる。
【０１４６】
なお、本発明は、上記実施の形態に制限されるものではなく、他に種々の変更が可能であることは言うまでもない。
【０１４７】
たとえば、上記実施の形態においては、相手方との間で通話を行う場合を例として説明したが、これに代えて、相手方との間でデータ通信を行うこともできる。
【０１４８】
また、上記実施の形態では、親機と子機との通信を無線通信としたが、これに代えて有線の通信方式を採用することもできる。
【０１４９】
また、上記実施の形態では、留守録の際、圧縮した音声のままメモリへ記憶する例として説明したが、伸張した後にメモリへ記憶することもできる。
【０１５０】
また、上記実施の形態では、宅外から留守録メッセージを聞く場合、携帯電話からのパスワードを含む電子メールの返信を受けた親機１０１が携帯電話へ電話を掛けなおす例として説明したが、携帯電話から親機へパスワードを返信した後に、携帯電話から親機へ電話を掛けて留守録メッセージを聞くようにすることもできる。
【０１５１】
その他、本発明の技術思想の範囲内で適宜、種々の変更が可能である。
【０１５２】
【発明の効果】
本発明によれば、発呼者からの用件メッセージを、被呼者のみが聞くことができ、個人情報の秘密保護を図ることができる。
【図面の簡単な説明】
【図１】実施の形態に係るインターネット電話システムの全体構成図
【図２】当該電話システムの端末の構成を示すブロック図
【図３】子機に記憶される電話帳情報の構成例を示す図
【図４】親機に記憶される電話帳情報の構成例を示す図
【図５】子機に記憶される電話帳情報の更新状態を示す図
【図６】親機に記憶される電話帳情報の更新状態を示す図
【図７】当該電話システムにおける通話処理を示すフローチャート
【図８】親機におけるメモリの使用例を示す図
【図９】パスワードのフォーマットの一例を示す図
【図１０】親機に記憶される電話帳情報の構成例を示す図
【符号の説明】
１０１、２０１、３００  親機
１０２ａ、１０２ｂ、２０２ａ、２０２ｂ、４００  子機
３０１  アンテナ
３０２  無線処理部
３０６  メイン処理部
３０７  メモリ
３０８  通信制御部
４０１  アンテナ
４０２  無線処理部
４０４  メイン処理部
４０５  メモリ
【図１】
2004228732.tif 000003
【図２】
2004228732.tif 000004
【図３】
2004228732.tif 000005
【図４】
2004228732.tif 000006
【図５】
2004228732.tif 000007
【図６】
2004228732.tif 000008
【図７】
2004228732.tif 000009
【図８】
2004228732.tif 000010
【図９】
2004228732.tif 000011
【図１０】
2004228732.tif 000012